(57)【要約】【課題】ホログラムメモリにおいて、記録密度が高くなると、符号間干渉の影響で、再生時の誤りが多くなる問題があった。【解決手段】参照光をホログラム媒体に照射することで得られた再生信号に対し所定の補正処理を行いピクセル単位の補正信号を生成する補正手段と、補正信号を二値化する手段を有し、補正手段は、補正対象ピクセルの周辺ピクセルの各再生信号レベルと所定の位相パターンに依存して、補正対象ピクセルの補正量を決定する。【選択図】図４
2009140606.tif 000002
【特許請求の範囲】
【請求項１】
光源からの出射光の一部を、二次元に符号化された記録データに従って空間変調器で変調し、ピクセル単位に所定の位相パターンで位相変位を透過光に与える拡散板を透過させて生成された信号光と、前記光源から出射された参照光の干渉縞をホログラム媒体に記録する、ホログラムメモリの再生装置であって、参照光を前記ホログラム媒体に照射することによって得られた再生信号に対し所定の補正処理を行いピクセル単位の補正信号を生成する補正手段と、前記補正信号を二値化する手段とを有し、前記補正手段は、補正対象ピクセルの周辺ピクセルの各再生信号レベルと前記所定の位相パターンに依存して、該補正対象ピクセルの補正量を決定することを特徴とする、ホログラムメモリ再生装置。
【請求項２】
補正手段は、補正対象ピクセルの周辺ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項１に記載のホログラムメモリ再生装置。
【請求項３】
補正対象ピクセルの補正量は、各オンピクセルの配置と該オンピクセルの位相パターンの組み合わせに依存したテーブルとして、予め所定の値が保持されていることを特徴とする請求項２に記載のホログラムメモリ再生装置。
【請求項４】
補正手段は、補正対象ピクセルの上下左右の４ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項２に記載のホログラムメモリ再生装置。
【請求項５】
補正手段は、補正対象ピクセルの上下左右および斜め隣接の８ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項２に記載のホログラムメモリ再生装置。
【請求項６】
所定の位相パターンは、ピクセル単位に擬似ランダムな位相となっていることを特徴とする請求項１に記載のホログラムメモリ再生装置。
【請求項７】
所定の位相パターンは、（０、π／２、π、３π／２）のいずれかの位相をピクセル単位に擬似ランダムに配列したことを特徴とする請求項６に記載のホログラムメモリ再生装置。
【請求項８】
光源からの出射光の一部を、二次元に符号化された記録データに従って空間変調器で変調し、ピクセル単位に所定の位相パターンで位相変位を透過光に与える拡散板を透過させて生成された信号光と、前記光源から出射された参照光の干渉縞をホログラム媒体に記録する、ホログラムメモリの再生方法であって、参照光を前記ホログラム媒体に照射することによって得られたピクセル単位の再生信号に対し所定の補正処理を行いピクセル単位の補正信号を生成する補正ステップと、前記補正信号を二値化するステップとを有し、前記補正ステップは、補正対象ピクセルの周辺ピクセルの各再生信号レベルと前記所定の位相パターンに依存して、該補正対象ピクセルの補正量を決定することを特徴とする、ホログラムメモリの再生方法。
【請求項９】
補正ステップは、補正対象ピクセルの周辺ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項８に記載のホログラムメモリの再生方法。
【請求項１０】
補正対象ピクセルの補正量は、各オンピクセルの配置と該オンピクセルの位相パターンの組み合わせに依存したテーブルとして、予め所定の値が保持されていることを特徴とする請求項９に記載のホログラムメモリの再生方法。
【請求項１１】
補正ステップは、補正対象ピクセルの上下左右の４ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項９に記載のホログラムメモリの再生方法。
【請求項１２】
補正ステップは、補正対象ピクセルの上下左右および斜め隣接の８ピクセルの各再生信号レベルに応じて各ピクセルのオン／オフを判定し、各オンピクセルの配置と該オンピクセルの位相パターンの組み合わせに依存して、該補正対象ピクセルの補正量を決定することを特徴とする、請求項９に記載のホログラムメモリの再生方法。
【請求項１３】
所定の位相パターンは、ピクセル単位に擬似ランダムな位相となっていることを特徴とする請求項８に記載のホログラムメモリの再生方法。
【請求項１４】
所定の位相パターンは、（０、π／２、π、３π／２）のいずれかの位相をピクセル単位に擬似ランダムに配列したことを特徴とする請求項１３に記載のホログラムメモリの再生方法。
【発明の詳細な説明】
【技術分野】
【０００１】
本発明は、光の干渉縞を記録することで、二次元に符号化したデータを記録するホログラムメモリに関するもので、特に、ホログムメモリ再生装置、およびホログラムメモリの再生方法に関する。
【背景技術】
【０００２】
近年、ＤＶＤ等の記録媒体よりさらに圧倒的な大容量を実現する光記録媒体として、フォトリフラクティブ材料等に、信号光（あるいは物体光）と参照光による干渉縞を記録することでデータを記録する、ホログラムメモリが注目されている。
【０００３】
ホログラムメモリでは、データは二次元的に符号化し、液晶パネル等の二次元空間変調器によって光源からの出射光を二次元のオン／オフパターンに変調し、さらに、ピクセル単位に所定の位相パターンで位相変位を透過光に与える拡散板を透過させて媒体に照射することで記録される。
【０００４】
再生時には、レーザー光等を再生光として照射し、その回折光をＣＣＤ等の二次元光検出器で受光することで、光検出器上で、二次元の再生像が得られ、得られた再生像のビットパターンのオン／オフ判定を行うことで、データが再生される。
【０００５】
ホログラムメモリ用の二次元符号として、例えば、２×２の４個のピクセルで小ブロックを構成し、１ピクセルのみをオン（光を通過）にし、他の３ピクセルをオフ（光を遮断）にすることで、２ビットの情報を４ビットのパターンで符号化する２−４符号が提案されている（例えば、特許文献１参照）。
【０００６】
また、拡散板の所定の位相パターンとしては、例えば、（０、π／２、π、３π／２）の擬似ランダム位相パターンが提案されている（例えば、特許文献２参照）。
【特許文献１】特開平９−１９７９４７号公報
【特許文献２】特開平１−３０２３７６号公報
【発明の開示】
【発明が解決しようとする課題】
【０００７】
大容量を実現するために高密度にデータが記録されるホログラフィックメモリでは、二次元再生像のビットパターンのオン／オフ判定を行うことで、データが再生される。
【０００８】
オン／オフを判定する際、記録密度が高くなると、いわゆる符号間干渉の影響で、再生時の誤りが多くなる問題があった。すなわち、隣接ピクセルからの影響により、オン／オフ判定を誤る場合があった。
【０００９】
また、拡散板によって、ピクセル単位に位相変位を与えて記録した場合、隣接ピクセルからの影響は、隣接のオンピクセルの配置やそれらの位相パターンによって影響度合いが変化し、その結果、再生時の誤りが多くなる問題があった。
【００１０】
本発明は上記の問題を鑑み、補正対象ピクセルの周辺ピクセルの各再生信号レベルと位相パターンに依存して、該補正対象ピクセルを補正することで、再生時の誤りを少なくすることを可能にするホログラムメモリ再生装置、およびホログラムメモリの再生方法を提供することを目的とする。
【課題を解決するための手段】
【００１１】
上記の課題を解決するために、本発明のホログラムメモリ再生装置では、参照光を前記ホログラム媒体に照射することによって得られた再生信号に対し所定の補正処理を行いピクセル単位の補正信号を生成する補正手段と、前記補正信号を二値化する手段とを有し、前記補正手段は、補正対象ピクセルの周辺ピクセルの各再生信号レベルと所定の位相パターンに依存して、該補正対象ピクセルの補正量を決定することを特徴に備えたものである。
【００１２】
また、本発明の二次元符号化方法では、参照光を前記ホログラム媒体に照射することによって得られたピクセル単位の再生信号に対し所定の補正処理を行いピクセル単位の補正信号を生成する補正ステップと、前記補正信号を二値化するステップとを有し、前記補正ステップは、補正対象ピクセルの周辺ピクセルの各再生信号レベルと所定の位相パターンに依存して、該補正対象ピクセルの補正量を決定することを特徴に備えたものである。
【発明の効果】
【００１３】
本発明のホログラムメモリ再生装置、およびホログラムメモリの再生方法によれば、補正対象ピクセルの周辺ピクセルの各再生信号レベルと位相パターンに依存して、該補正対象ピクセルを補正することで、再生時の誤りを少なくすることを可能にする。
【発明を実施するための最良の形態】
【００１４】
以下、本発明の実施の形態について、図面を参照しながら説明する。
【００１５】
（実施の形態１）
図1は、本発明の実施の形態１におけるホログラムメモリ記録再生装置の記録部の構成を主に説明するブロック図である。
【００１６】
図１において、１０１はレーザ光源、１０２はビームエキスパンダ、１０３はハーフミラー、１０４は集光レンズ、１０５はホログラムメモリ媒体、１０６はフーリエ変換レンズ、１０７は光検出器、１１０はミラー、１１１は空間変調器、１１２はフーリエ変換レンズ、１１４は二次元符号化装置、１１５は誤り訂正符号化装置、１１７は拡散板である。
【００１７】
以上のように構成されたホログラムメモリ記録再生装置では、レーザ光源１０１からの光は，ビームエキスパンダ１０２でビーム径を拡大された後ハーフミラー１０３で２つに分割される。
【００１８】
分割された一方のビームは、ミラー１１０により進行方向を変更されて空間光変調器１１１を通過する。空間光変調器１１１を通過したビームは、拡散板１１７によって、ピクセル単位に所定の位相パターンで位相変位が与えられ、フーリエ変換レンズ１１２により集光され、集光されたビームはホログラムメモリ媒体１０５上に信号光１１３として照射される。
【００１９】
他方のビームは、集光レンズ１０４により集光され、参照光１０８となって、ホログラフィックメモリ媒体１０５上の信号光１１３の照射位置と同一位置に照射される。
【００２０】
ホログラムメモリ媒体１０５は、フォトポリマーなどのホログラム媒質から構成され、信号光１１３と参照光１０８の干渉縞を記録することで、二次元に符号化されたデータが記録される。
【００２１】
ここで、データ１１６は、媒体上で生起する誤りを検出および訂正するために、例えばリードソロモン符号やＬＤＰＣ（Ｌｏｗ  Ｄｅｎｓｉｔｙ  Ｐａｒｉｔｙ  Ｃｈｅｃｈ  Ｃｏｄｅ）などの誤り訂正符号化が誤り訂正符号化装置１１５によって行われ、記録データ１１７として送出される。
【００２２】
記録データ１１７は、二次元符号化装置１１４で所定の二次元符号化データ１１２が生成され、空間変調器１１１に送出される。二次元符号化装置１１５は、例えば、４ピクセル中の１ピクセルをオンする１−４符号を用いて、２ｂｉｔのデータを４ピクセルに符号化する。
【００２３】
空間光変調器１１１は、液晶等で構成され、二次元符号化データ１１２に従って、ピクセル単位に、光の透過（オン）、と遮断（オフ）を行う。
【００２４】
拡散板１１７は、表面の凹凸、あるいは屈折率の変化等で、所定の位相パターンで光の位相を変化させる。
【００２５】
また、記録された信号を再生する際には、ホログラフィックメモリ媒体１０５に、参照光１０８のみを照射すると、ホログラフィックメモリ媒体１０５からの回折光は、フーリエ変換レンズ１０６を通過することにより、二次元の光ビーム列に変換され、この光ビーム列がＣＣＤ等で構成される光検出器１０７上に二次元的に復元され、これを光電変換することで再生信号１０９が得られる。
【００２６】
図２は、図１に示す拡散板１１７の構成例である。
【００２７】
拡散板１１７は、ピクセル単位に（０、π／２、π、３π／２）の位相を擬似ランダムな所定のパターンで、光の位相を変化させる。図２に示す拡散板では、斜め方向のピクセル間の位相差が、０あるいはπになるように構成されている。また上下左右に隣接ピクセル間の位相差は、π／２あるいは３π／２になるように構成されている。以上のような擬似ランダムな所定のパターンで、光の位相を変化させて、記録時に、ホログラム記録媒体に信号光として照射することで、スペックルノイズを低減することが可能となっている。
【００２８】
以上のように、各ピクセルに所定のパターンで位相変化を与えて記録するため、これを再生した場合、与えられた位相関係によって、隣接ピクセルへの符号干渉の度合いが変化することがわかった。
【００２９】
図３は、隣接ピクセルのオン位置とその位相関係に依存して発生する干渉の大きさを、シミュレーションで求めた結果である。ここでは、隣接ピクセルを、上下左右の計４ピクセルと定義して干渉の大きさを求めている。隣接ピクセル間の位相の関係は、それぞれが斜め方向に限定されるために、位相差は、０あるいはπになる。図３では、位相差０を○、位相差πを△で示しており、干渉の大きさを数値で表している。
【００３０】
図３の（ａ）は、隣接１／４個がオン、すなわち上下左右の計４個の隣接ピクセルの内１個がオンである場合の干渉の大きさを示している。オンが１個のため、オンピクセルの配置と該オンピクセルの位相パターンの組み合わせは、３０１に示すように１種類になり、干渉の大きさは、０．１０３となっている。
【００３１】
尚、ここでは、隣接ピクセルにオンピクセルが全く無い状態の、孤立ピクセルのオンの再生信号レベルを１として、干渉の大きさを正規化している。３０１では、上下左右の隣接ピクセルの内、１ピクセルのみがオンであった場合、符号間干渉により、再生信号レベルが、０．１０３大きくなることを意味している。該ピクセルがオンであった場合には、１＋０．１０３＝１．１０３、あるいはオフであった場合、０＋０．１０３＝０．１０３になることを意味している。
【００３２】
図３の（ｂ）は、隣接２／４個がオン、すなわち上下左右の計４個の隣接ピクセルの内２個がオンである場合の干渉の大きさを示している。オンが２個のため、オンピクセルの配置と該オンピクセルの位相パターンの組み合わせは、３０２から３０５に示すように４種類になる。
【００３３】
３０２では、オンピクセルの配置が斜め方向で、その位相差が０の場合、干渉の大きさが、０．２６５になることを意味している。
【００３４】
３０３では、オンピクセルの配置が斜め方向で、その位相差がπの場合、干渉の大きさが、０．２６８になることを意味している。３０２と比較して、オンピクセルの配置は同じであるが、干渉の大きさは異なる。
【００３５】
３０４では、オンピクセルの配置が対面方向、すなわち上下あるいは左右であり、その位相差が０の場合、干渉の大きさが、０．１１０になることを意味している。３０２と比較して、オンピクセルの配置が異なることで、干渉の大きさが異なっている。
【００３６】
３０５では、オンピクセルの配置が対面方向、すなわち上下あるいは左右であり、その位相差がπの場合、干渉の大きさが、０．３１６になることを意味している。
【００３７】
以下同様に、図３の（ｃ）は、隣接３／４個がオン、すなわち上下左右の計４個の隣接ピクセルの内３個がオンである場合の干渉の大きさを示している。オンが３個のため、オンピクセルの配置と該オンピクセルの位相パターンの組み合わせは、３０６から３０８に示すように４種類になる。
【００３８】
同様に、図３の（ｄ）は、隣接４／４個がオン、すなわち上下左右の計４個の隣接ピクセルの内４個がオンである場合の干渉の大きさを示している。オンが４個のため、オンピクセルの配置と該オンピクセルの位相パターンの組み合わせは、３０９から３１２に示すように４種類になる。
【００３９】
以上のような、隣接ピクセルのオン位置とその位相関係に依存して発生する干渉の大きさは、光学的なパラメータ等のシステムの構成に依存して値は異なるものになる。ここでは、シミュレーションで求めた結果を示したが、上記のようにオン位置を変化させたパターンを実際に記録してデータ測定することでも容易に求めることができる。
【００４０】
本発明の実施の形態１におけるホログラムメモリ記録再生装置では、以上のオンピクセルの配置と該オンピクセルの位相パターンの組み合わせによって定まる干渉の大きさを予めテーブルとして保持し、再生時に、これを所定の補正量として用いて補正することを特徴としている。
【００４１】
例えば、図２に示す２０１に対応するピクセルを補正対象のピクセルとする場合、上下左右の隣接ピクセルは、それぞれ２０２、２０３、２０４、２０５に対応する。これらの内、２０２と２０３に対応したピクセルのみがオンであった場合の符号間干渉の大きさは、図３における３０５に示される、０．３１６となる。従って、２０１に対応するピクセルの再生信号レベルから、０．３１６を引くことで、符号間干渉の影響を補正することが可能になる。
【００４２】
図４は、本発明の実施の形態１におけるホログラムメモリ記録再生装置の再生部の主な構成を説明するブロック図である。
【００４３】
図4において、４０１は隣接ピクセルのオン／オフ判定手段、４０２は拡散板の位相パターンテーブル、４０３はオンピクセルの位相関係の判別手段、４０４は補正値テーブル、４０５は補正手段、４０６は2値化手段である。４０７は再生信号であり、図1に示す１０９と同じものである。
【００４４】
以上のように構成されたホログラムメモリ記録再生装置では、データを再生する場合、再生信号４０７の信号レベルに応じて、補正対象ピクセルの上下左右のピクセルのオン／オフの判定が、隣接ピクセルのオン／オフ判定手段４０１によって行われる。例えば、固定レベルでスライスすることで実行される。
【００４５】
拡散板の位相パターンテーブル４０２には、記録時に用いた拡散板の位相パターンが、予めテーブルとして保持されている。
【００４６】
オンピクセルの位相関係の判別手段４０３は、オンピクセルの位置情報４０８と、拡散板の位相パターン４０９から、オンピクセルの位相関係を判別する。
【００４７】
補正値テーブル４０４は、オンピクセルの位置情報４０８とオンピクセルの位相関係４１０に依存して、予め定められた所定の補正値４１１を出力する。所定の補正値４１１は先に説明したように、シミュレーション結果や測定値を元にして予め定めておくことができる。
【００４８】
補正手段４０５は、補正対象ピクセルの再生信号４０７の信号レベルから、補正値を引くことで、補正を行う。
【００４９】
補正された再生信号４１２は、２値化手段４０５で、２値化される。2値化は、所定レベルでスライスしても良い。あるいは、二次元符号に合わせた可変レベルスライスを行っても良い。例えば、ｍピクセル中ｎピクセルがオンとなる二次元符号化されて記録されている場合、信号レベルの高いものからｎ個をオンとして判定しても良い。
【００５０】
2値化された再生信号４１３は、２次元符号の復号回路や誤り訂正回路に送出されて、復号処理や誤り訂正処理が行われ、再生データとして再生される。ここでは、詳細は省略する。
【００５１】
以上の補正処理は、１ページの全てのピクセルに対して、１ピクセルずつ繰り返して補正を行われる。図４では、このための制御回路等は、省略している。また、以上の処理は、例えばマイクロプロセッサやデジタルシグナルプロセッサ等を用いて、ソフトウェアとして実現することも可能である。
【００５２】
また、ここでは、拡散板の位相パターンを位相パターンテーブル４０２に、予めテーブルとして保持したが、記録時に用いる拡散板の位相パターンを、例えば、数値計算による擬似乱数を元に生成しておき、再生時には、その都度、同じ計算を行うことで、位相パターンを再現することもできる。
【００５３】
尚、ここでは上下左右の４個のピクセルを周辺ピクセルとしたが、より多くの周辺ピクセルを用いても良い。例えば、上下左右および斜めの計８ピクセルを周辺ピクセルとし、これらの各再生信号レベルと位相パターンに依存して、該補正対象ピクセルを補正することもできる。この場合、周辺ピクセルのオン位置とその位相パターンの組合せ数が多くなり、補正値として保持するテーブルサイズが大きくなるというデメリットはあるが、より精度の高い補正処理を行うことができ、再生時の誤りをより少なくすることが可能になる。
【００５４】
また、ここでは、拡散板の位相パターンを（０、π／２、π、３π／２）としたが、その他の位相パターンであっても良いことは明らかである。
【００５５】
尚ここでは、記録再生装置の例で説明したが、再生専用装置であっても構わないことは明らかである。
【００５６】
以上説明した、本実施の形態１のホログラムメモリ記録再生装置では、補正対象ピクセルの周辺ピクセルの各再生信号レベルと位相パターンに依存して、該補正対象ピクセルを補正することで、再生時の誤りを少なくすることを可能にしている。
【００５７】
（実施の形態２）
図５は、本発明の実施の形態２におけるホログラムメモリ再生方法の再生プロセスを説明する図であり、図1から図３で説明したホログラムメモリ記録再生装置で記録されたホログラムの再生方法である。
【００５８】
図５において、５０１は隣接ピクセルのオン／オフ判定ステップ、５０２は拡散板の位相パターンテーブル、５０３はオンピクセルの位相関係の判別ステップ、５０４は補正値テーブル、５０５は補正ステップ、５０６は2値化ステップである。５０７は再生信号であり、図1に示す１０９と同じものである。
【００５９】
以上のように構成されたホログラムメモリの再生方法では、データを再生する場合、再生信号５０７の信号レベルに応じて、補正対象ピクセルの上下左右のピクセルのオン／オフの判定が、隣接ピクセルのオン／オフ判定ステップ５０１によって行われる。例えば、固定レベルでスライスすることで実行される。
【００６０】
拡散板の位相パターンテーブル５０２には、記録時に用いた拡散板の位相パターンが、予めテーブルとして保持されている。
【００６１】
オンピクセルの位相関係の判別ステップ５０３は、オンピクセルの位置情報５０８と、拡散板の位相パターン５０９から、オンピクセルの位相関係を判別する。
【００６２】
補正値テーブル５０４は、オンピクセルの位置情報５０８とオンピクセルの位相関係５１０に依存して、予め定められた所定の補正値５１１を出力する。所定の補正値５１１は先に説明したように、シミュレーション結果や測定値を元にして予め定めておくことができる。
【００６３】
補正ステップ５０５は、補正対象ピクセルの再生信号５０７の信号レベルから、補正値を引くことで、補正を行う。
【００６４】
補正された再生信号５１２は、２値化ステップ５０５で、２値化される。2値化は、所定レベルでスライスしても良い、あるいは、二次元符号に合わせた可変レベルスライスを行っても良い。例えば、ｍピクセル中ｎピクセルがオンとなる二次元符号化されて記録されている場合、信号レベルの高いものからｎ個をオンとして判定しても良い。
【００６５】
2値化された再生信号５１３は、２次元符号の復号回路や誤り訂正回路に送出されて、復号処理や誤り訂正処理が行われ、データとして再生される。ここでは、詳細は省略する。
【００６６】
以上の処理は、例えばハードウェアで実現しても良いし、マイクロプロセッサやデジタルシグナルプロセッサ等を用いて、ソフトウェアとして実現することも可能である。
【００６７】
また、ここでは、拡散板の位相パターンを位相パターンテーブル５０２に、予めテーブルとして保持したが、記録時に用いる拡散板の位相パターンを、例えば、数値計算による擬似乱数を元に生成しておき、再生時には、その都度、同じ計算を行うことで、位相パターンを再現することもできる。
【００６８】
尚、ここでは上下左右の４個のピクセルを周辺ピクセルとしたが、より多くの周辺ピクセルを用いても良い。例えば、上下左右および斜めの計８ピクセルを周辺ピクセルとし、これらの各再生信号レベルと位相パターンに依存して、該補正対象ピクセルを補正することもできる。この場合、周辺ピクセルのオン位置とその位相パターンの組合せ数が多くなり、補正値として保持するテーブルサイズが大きくなるというデメリットはあるが、より精度の高い補正処理を行うことができ、再生時の誤りをより少なくすることが可能になる。
【００６９】
また、ここでは、拡散板の位相パターンを（０、π／２、π、３π／２）としたが、その他の位相パターンであっても良いことは明らかである。
【００７０】
以上説明した、本実施の形態２のホログラムメモリの再生方法では、補正対象ピクセルの周辺ピクセルの各再生信号レベルと位相パターンに依存して、該補正対象ピクセルを補正することで、再生時の誤りを少なくすることを可能にしている。
【産業上の利用可能性】
【００７１】
本発明のホログムメモリ再生装置、およびホログラムメモリの再生方法は、大容量の記録媒体の再生装置あるいは再生方法として有用である。
【図面の簡単な説明】
【００７２】
【図１】本発明の実施の形態１におけるホログラムメモリ記録再生装置の記録部の構成を主に説明するブロック図
【図２】本発明の実施の形態１における拡散板１１７の構成例を示す図
【図３】隣接ピクセルのオン位置とその位相関係に依存して発生する干渉の大きさ説明する図
【図４】本発明の実施の形態１におけるホログラムメモリ記録再生装置の再生部の主な構成を説明するブロック図
【図５】本発明の実施の形態２におけるホログラムメモリ再生方法の再生プロセスを説明する図
【符号の説明】
【００７３】
１０１    レーザ光源
１０５    ホログラムメモリ媒体
１０９，４０７，５０７    再生信号
１１１    空間変調器
１１４    二次元符号化装置
１１７    拡散板
４０１    隣接ピクセルのオン／オフ判定手段
４０２，５０２    拡散板の位相パターンテーブル
４０３    オンピクセルの位相関係の判別手段
４０４，５０４    補正値テーブル
４０５    補正手段
４０６    2値化手段
５０１    隣接ピクセルのオン／オフ判定ステップ
５０３    オンピクセルの位相関係の判別ステップ
５０５    補正ステップ
５０６    2値化ステップ
【図１】
2009140606.tif 000003
【図２】
2009140606.tif 000004
【図３】
2009140606.tif 000005
【図４】
2009140606.tif 000006
【図５】
2009140606.tif 000007